【手続補正書】
【提出日】平成16年2月23日(2004.2.23)
【手続補正１】
【補正対象書類名】明細書
【補正対象項目名】発明の名称
【補正方法】変更
【補正の内容】
【発明の名称】紙葉類処理装置


【手続補正２】
【補正対象書類名】明細書
【補正対象項目名】特許請求の範囲
【補正方法】変更
【補正の内容】
【特許請求の範囲】
【請求項１】
紙葉類を所定方向に搬送する搬送手段と、
上記搬送手段にて搬送される紙葉類の正しい搬送位置からのずれを検知する検知手段と、
上記検知手段を通過した紙葉類を、上記搬送手段による搬送方向を横切る方向に離間した２位置で保持し、上記搬送方向に沿って送る第１および第２送り手段と、
上記検知手段にて紙葉類のずれが検知された際に、このずれを補正するように、上記第１および第２送り手段の少なくとも一方による紙葉類の送り速度を可変させる制御手段と、
を備えていることを特徴とする紙葉類処理装置。
【請求項２】
紙葉類を所定方向に搬送する搬送手段と、
上記搬送手段にて搬送される紙葉類の正しい搬送位置からのずれを検知する検知手段と、
上記検知手段を通過した紙葉類を、上記搬送手段による搬送方向を横切る方向に離間した２位置で保持し、上記搬送方向に沿って送る第１および第２送り手段と、
上記検知手段にて検知されるずれを補正するように上記第１および第２送り手段の少なくとも一方による紙葉類の送り速度を可変させるための制御パターンを、上記ずれに対応して複数格納した記憶手段と、
上記検知手段にて紙葉類のずれが検知された際に、このずれに対応した制御パターンを上記記憶手段から抽出し、抽出した制御パターンに従って上記第１および第２送り手段の少なくとも一方による紙葉類の送り速度を可変させる制御手段と、
を備えていることを特徴とする紙葉類処理装置。
【請求項３】
紙葉類を所定方向に搬送する搬送手段と、
上記搬送手段にて搬送される紙葉類の正しい搬送位置からのずれを検知する検知手段と、
上記検知手段を通過した紙葉類を、上記搬送手段による搬送方向を横切る方向に離間した２位置で保持し、上記搬送方向に沿って送る第１および第２送り手段と、
上記検知手段にて紙葉類のずれが検知された際に、上記第１および第２送り手段にて紙葉類を保持した状態で、ずれが検知された側の第１送り手段による紙葉類の送り速度を他側の第２送り手段による紙葉類の送り速度より速めて紙葉類を傾け、紙葉類を傾けた状態で上記第１および第２送り手段による送り速度を一致させて紙葉類を送り、上記第２送り手段による紙葉類の送り速度を上記第１送り手段による紙葉類の送り速度より速めて紙葉類の上記傾きを元に戻すことにより、紙葉類の上記ずれを補正する制御手段と、
を備えていることを特徴とする紙葉類処理装置。
【請求項４】
紙葉類を所定方向に搬送する搬送手段と、
上記搬送手段にて搬送される紙葉類の正しい搬送位置からの位置ずれを検知する第１検知手段と、
上記第１検知手段を通過した紙葉類を、上記搬送手段による搬送方向を横切る方向に離間した２位置でそれぞれ挟持するとともに、上記搬送方向に沿って送る２組のローラ対と、
上記２組のローラ対により紙葉類が挟持されたことを検知する第２検知手段と、
上記第１検知手段によって検知される紙葉類の位置ずれに対応して予め用意された複数の制御パターンであって、上記２組のローラ対によって紙葉類が挟持されたことが上記第２検知手段によって検知されたことを条件に、位置ずれが検知された側の第１ローラ対による紙葉類の送り速度を他側の第２ローラ対による紙葉類の送り速度より速めて紙葉類を傾け、紙葉類を傾けた状態で上記第１および第２ローラ対による送り速度を一致させて紙葉類を送り、上記第２ローラ対による紙葉類の送り速度を上記第１ローラ対による紙葉類の送り速度より速めて紙葉類の上記傾きを元に戻す制御パターンを格納した記憶手段と、
上記第１検知手段にて紙葉類の位置ずれが検知された際に、この位置ずれに対応した制御パターンを上記記憶手段から抽出し、抽出した制御パターンに従って上記第１および第２ローラ対の少なくとも一方による紙葉類の送り速度を可変させる制御手段と、
を備えていることを特徴とする紙葉類処理装置。
【請求項５】
紙葉類を所定方向に搬送する搬送手段と、
上記搬送手段にて搬送される紙葉類の正しい搬送位置からの位置ずれを検知する位置ずれ検知手段と、
上記搬送手段にて搬送される紙葉類の搬送方向に対する傾きを検知する傾き検知手段と、
上記位置ずれ検知手段および傾き検知手段を通過した紙葉類を、上記搬送手段による搬送方向を横切る方向に離間した２位置で保持し、上記搬送方向に沿って送る第１および第２送り手段と、
上記位置ずれ検知手段および傾き検知手段の少なくとも一方によって紙葉類の位置ずれおよび／或いは傾きが検知された際に、この位置ずれおよび／或いは傾きを補正するように、上記第１および第２送り手段の少なくとも一方による紙葉類の送り速度を可変させる制御手段と、
を備えていることを特徴とする紙葉類処理装置。
【請求項６】
紙葉類を所定方向に搬送する搬送手段と、
上記搬送手段にて搬送される紙葉類の正しい搬送位置からの位置ずれを検知する位置ずれ検知手段と、
上記搬送手段にて搬送される紙葉類の搬送方向に対する傾きを検知する傾き検知手段と、
上記位置ずれ検知手段および傾き検知手段を通過した紙葉類を、上記搬送手段による搬送方向を横切る方向に離間した２位置で挟持し、上記搬送方向に沿って送る第１および第２ローラ対と、
上記第１および第２ローラ対により紙葉類が挟持されたことを検知するセンサと、
上記位置ずれ検知手段によって検知される紙葉類の位置ずれおよび上記傾き検知手段によって検知される紙葉類の傾きに対応して予め用意された複数の制御パターンであって、上記位置ずれおよび／或いは傾きを補正するように上記２組のローラ対の少なくとも一方による紙葉類の送り速度を可変させる制御パターンを格納した記憶手段と、
上記位置ずれ検知手段にて紙葉類の位置ずれが検知され、および／或いは上記傾き検知手段にて紙葉類の傾きが検知された際に、上記第１および第２ローラ対によって紙葉類が挟持されたことが上記センサによって検知されたことを条件に、上記位置ずれおよび／或いは傾きに対応した制御パターンを上記記憶手段から抽出し、抽出した制御パターンに従って上記第１および第２ローラ対の少なくとも一方による紙葉類の送り速度を可変させる制御手段と、
を備えていることを特徴とする紙葉類処理装置。
【手続補正３】
【補正対象書類名】明細書
【補正対象項目名】０００４
【補正方法】変更
【補正の内容】
【０００４】
この発明は、上記問題点を鑑みなされたもので、その目的は、紙葉類を正常な姿勢で搬送でき、紙葉類の処理精度を向上できる紙葉類処理装置を提供することにある。


【手続補正４】
【補正対象書類名】明細書
【補正対象項目名】０００５
【補正方法】変更
【補正の内容】
【０００５】
【課題を解決するための手段】
上記目的を達成するため、この発明の紙葉類処理装置は、紙葉類を所定方向に搬送する搬送手段と、上記搬送手段にて搬送される紙葉類の正しい搬送位置からのずれを検知する検知手段と、上記検知手段を通過した紙葉類を、上記搬送手段による搬送方向を横切る方向に離間した２位置で保持し、上記搬送方向に沿って送る第１および第２送り手段と、上記検知手段にて紙葉類のずれが検知された際に、このずれを補正するように、上記第１および第２送り手段の少なくとも一方による紙葉類の送り速度を可変させる制御手段と、を備えている。


【手続補正５】
【補正対象書類名】明細書
【補正対象項目名】０００６
【補正方法】変更
【補正の内容】
【０００６】
また、この発明の紙葉類処理装置は、紙葉類を所定方向に搬送する搬送手段と、上記搬送手段にて搬送される紙葉類の正しい搬送位置からのずれを検知する検知手段と、上記検知手段を通過した紙葉類を、上記搬送手段による搬送方向を横切る方向に離間した２位置で保持し、上記搬送方向に沿って送る第１および第２送り手段と、上記検知手段にて検知されるずれを補正するように上記第１および第２送り手段の少なくとも一方による紙葉類の送り速度を可変させるための制御パターンを、上記ずれに対応して複数格納した記憶手段と、上記検知手段にて紙葉類のずれが検知された際に、このずれに対応した制御パターンを上記記憶手段から抽出し、抽出した制御パターンに従って上記第１および第２送り手段の少なくとも一方による紙葉類の送り速度を可変させる制御手段と、を備えている。


【手続補正６】
【補正対象書類名】明細書
【補正対象項目名】０００７
【補正方法】変更
【補正の内容】
【０００７】
また、この発明の紙葉類処理装置は、紙葉類を所定方向に搬送する搬送手段と、上記搬送手段にて搬送される紙葉類の正しい搬送位置からのずれを検知する検知手段と、上記検知手段を通過した紙葉類を、上記搬送手段による搬送方向を横切る方向に離間した２位置で保持し、上記搬送方向に沿って送る第１および第２送り手段と、上記検知手段にて紙葉類のずれが検知された際に、上記第１および第２送り手段にて紙葉類を保持した状態で、ずれが検知された側の第１送り手段による紙葉類の送り速度を他側の第２送り手段による紙葉類の送り速度より速めて紙葉類を傾け、紙葉類を傾けた状態で上記第１および第２送り手段による送り速度を一致させて紙葉類を送り、上記第２送り手段による紙葉類の送り速度を上記第１送り手段による紙葉類の送り速度より速めて紙葉類の上記傾きを元に戻すことにより、紙葉類の上記ずれを補正する制御手段と、を備えている。


【手続補正７】
【補正対象書類名】明細書
【補正対象項目名】０００８
【補正方法】変更
【補正の内容】
【０００８】
また、この発明の紙葉類処理装置は、紙葉類を所定方向に搬送する搬送手段と、上記搬送手段にて搬送される紙葉類の正しい搬送位置からの位置ずれを検知する第１検知手段と、上記第１検知手段を通過した紙葉類を、上記搬送手段による搬送方向を横切る方向に離間した２位置でそれぞれ挟持するとともに、上記搬送方向に沿って送る２組のローラ対と、上記２組のローラ対により紙葉類が挟持されたことを検知する第２検知手段と、上記第１検知手段によって検知される紙葉類の位置ずれに対応して予め用意された複数の制御パターンであって、上記２組のローラ対によって紙葉類が挟持されたことが上記第２検知手段によって検知されたことを条件に、位置ずれが検知された側の第１ローラ対による紙葉類の送り速度を他側の第２ローラ対による紙葉類の送り速度より速めて紙葉類を傾け、紙葉類を傾けた状態で上記第１および第２ローラ対による送り速度を一致させて紙葉類を送り、上記第２ローラ対による紙葉類の送り速度を上記第１ローラ対による紙葉類の送り速度より速めて紙葉類の上記傾きを元に戻す制御パターンを格納した記憶手段と、上記第１検知手段にて紙葉類の位置ずれが検知された際に、この位置ずれに対応した制御パターンを上記記憶手段から抽出し、抽出した制御パターンに従って上記第１および第２ローラ対の少なくとも一方による紙葉類の送り速度を可変させる制御手段と、を備えている。


【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
また、この発明の紙葉類処理装置は、紙葉類を所定方向に搬送する搬送手段と、上記搬送手段にて搬送される紙葉類の正しい搬送位置からの位置ずれを検知する位置ずれ検知手段と、上記搬送手段にて搬送される紙葉類の搬送方向に対する傾きを検知する傾き検知手段と、上記位置ずれ検知手段および傾き検知手段を通過した紙葉類を、上記搬送手段による搬送方向を横切る方向に離間した２位置で保持し、上記搬送方向に沿って送る第１および第２送り手段と、上記位置ずれ検知手段および傾き検知手段の少なくとも一方によって紙葉類の位置ずれおよび／或いは傾きが検知された際に、この位置ずれおよび／或いは傾きを補正するように、上記第１および第２送り手段の少なくとも一方による紙葉類の送り速度を可変させる制御手段と、を備えている。


【手続補正１１】
【補正対象書類名】明細書
【補正対象項目名】００１２
【補正方法】変更
【補正の内容】
【００１２】
また、この発明の紙葉類処理装置は、紙葉類を所定方向に搬送する搬送手段と、上記搬送手段にて搬送される紙葉類の正しい搬送位置からの位置ずれを検知する位置ずれ検知手段と、上記搬送手段にて搬送される紙葉類の搬送方向に対する傾きを検知する傾き検知手段と、上記位置ずれ検知手段および傾き検知手段を通過した紙葉類を、上記搬送手段による搬送方向を横切る方向に離間した２位置で挟持し、上記搬送方向に沿って送る第１および第２ローラ対と、上記第１および第２ローラ対により紙葉類が挟持されたことを検知するセンサと、上記位置ずれ検知手段によって検知される紙葉類の位置ずれおよび上記傾き検知手段によって検知される紙葉類の傾きに対応して予め用意された複数の制御パターンであって、上記位置ずれおよび／或いは傾きを補正するように上記２組のローラ対の少なくとも一方による紙葉類の送り速度を可変させる制御パターンを格納した記憶手段と、上記位置ずれ検知手段にて紙葉類の位置ずれが検知され、および／或いは上記傾き検知手段にて紙葉類の傾きが検知された際に、上記第１および第２ローラ対によって紙葉類が挟持されたことが上記センサによって検知されたことを条件に、上記位置ずれおよび／或いは傾きに対応した制御パターンを上記記憶手段から抽出し、抽出した制御パターンに従って上記第１および第２ローラ対の少なくとも一方による紙葉類の送り速度を可変させる制御手段と、を備えている。


【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】